(57)【特許請求の範囲】
【請求項１】
まつげ化粧用マスカラブラシにおいて、
ブラシスティック(1)と繋がったブラシ心材(10)を長手方向に沿って両分した一側にディスク形の板くし目(20)が繰返して形成されており、前記板くし目(20)の反対側にはゴム毛(30)が放射状に繰返して形成され、
前記マスカラブラシは、板くし目(20)を正面からみると、ブラシ心材(10)に交差する方向において、一側の厚さが厚く、前記一側とは反対側の厚さが前記一側よりも薄い第１板くし目(20)と、ブラシ心材(10)に交差する方向において、前記一側の厚さが薄く、前記反対側の厚さが前記一側よりも厚い第２板くし目(20)と、がブラシ心材(10)の長手方向に沿って交互に形成されることで、くし目凸部(21)とくし目凹部(22)とが長手方向に交互に形成されていることを特徴とするマスカラブラシ。
【発明の詳細な説明】
【技術分野】
【０００１】
本発明は、まつげを化粧するためのマスカラブラシに関し、詳しくはブラシ心材の長手方向に沿って両分した一側面にディスク形の板くし目が連続繰返して形成されて、その反対側にはゴム毛が放射状に形成されるマスカラブラシに関する。
【背景技術】
【０００２】
一般的に、マスカラはまつげを長くて濃く見えるようにするために使われる化粧品であり、通常、上下方向に真っ直ぐに伸びているまつげにウエーブを形成して美しくしてくれる化粧道具である。
【０００３】
上記のマスカラをまつげに塗る方法は次のとおりである。
【０００４】
先ず、上側のまつげにマスカラを塗る方法は、マスカラのブラシに付いた内容物の量を調節した後、視線を下にした状態でまつげの根元から撫で下ろすように塗った後、前記ブラシを下から上へ引き上げるように塗る。この時、ブラシをジグザグに払い上げるようにするとよりよい表現ができる。
【０００５】
そして、下側のまつげにマスカラを塗る方法は、ブラシを縦に立て左右に動かして塗り、その後まつげのラインに沿って軽く塗る。この時、鮮明に表現したければ一本ずつ纎細に塗れば良い。
【０００６】
上記のような用途及び方式に使われるマスカラの一般的な構造は、内容物が収容された容器と、前記容器を開閉する役目をするブラシが装着された栓で構成されており、このような構造のマスカラは、ブラシに内容物を適量つけた後にブラシを回しながら使うのが一般的である。
【０００７】
上記のようにまつげの化粧ができるブラシは、一定の長さを有する二本の鉄心にナイロン毛を入れて、前記鉄心を一定回数、捻って作られるブラシと、ゴムを原料にしたディスク形の板くし目が連続して繰り返されて作られるゴムブラシとに大きく分類される。
【０００８】
前記のマスカラブラシの中でブラシの毛がナイロン毛であるブラシは、一様にくしけずりが可能でまつげのカール演出が容易な一方、使用中に不注意により目を突いたり、刺激を与えたりするという問題点がある。
【０００９】
前記ナイロン毛のマスカラブラシの短所を解決するために着眼したマスカラブラシがゴムブラシである。
【００１０】
前記ゴムブラシはディスク形の板くし目が連続して反復されて構成されたものであり、ディスク形の板くし目の構造及びその配置を多様に変化させて消費者の多様な好みを満たすために、その種類は多様である。
【００１１】
その例として、特許文献１〜６を上げられ、これらの先登録考案は本願の出願人が先登録したマスカラゴムブラシである。
【００１２】
前記の先登録考案は、使用感が柔らかいので消費者が好むものであるが、まつげをきちんと持ち上げるには困難があり、まつげカールの演出が難しい。
【００１３】
そこで、本願の出願人は、前記のナイロン毛からなるマスカラブラシと、前記先登録考案のゴムを原料にしたディスク形の板くし目からなるゴムブラシを含むマスカラブラシの欠点を補ったマスカラブラシを考案した。
【００１４】
その例として特許文献７があり、ナイロン毛を有するマスカラブラシの機能を発揮できるようにゴムをナイロン毛のように形成したゴム毛とディスク形の板くし目が混合したマスカラブラシを考案した。
【００１５】
前記の先出願考案は、ブラシスティックの長さを上下に両分して下側にはゴム毛を、ゴム毛の上方には板くし目を形成したものであり、既存のナイロン毛のマスカラブラシと板くし目のマスカラブラシのそれぞれの長所を融合しながらも、これらの短所を乗り越えることができ、非常に合理的ながらもすぐれた使用感を得ることができるマスカラ用ブラシが提案されたものである。
【先行技術文献】
【特許文献】
【００１６】
【特許文献１】韓国実用新案登録第３７８７３９号
【特許文献２】韓国実用新案登録第３８４７６５号
【特許文献３】韓国実用新案登録第３８８０２５号
【特許文献４】韓国実用新案登録第３８８０２６号
【特許文献５】韓国実用新案登録第３８８０２８号
【特許文献６】韓国実用新案登録第３８８０３０号
【特許文献７】韓国実用新案出願第２００７−５８４５号
【発明の概要】
【発明が解決しようとする課題】
【００１７】
前記のような長所と短所とを有する先出願マスカラブラシは、ゴム毛とディスク形の板くし目がブラシ心材の上下に両分して形成されているので、まつげ化粧の時、ブラシを左右に移動させて使わなければならないという使用上の不便があるだけではなく、板くし目に付いているマスカラ液をまつげに塗る時、ゴム毛に付いているマサカラ液はそのまま存在していてので、マスカラ液がその荷重によって落ちる現像が発生したりする。
【課題を解決するための手段】
【００１８】
本発明は、上記の問題点を改善するため発明されたものであり、その目的は、ゴム材からなるブラシ心材を長手方向に両分した一側にディスク形の板くし目が連続繰返して形成されて、前記板くし目の反対側にゴム毛が放射状に連続繰返して形成されることにより、ディスク形の板くし目とゴム毛が柔らかくて弾力的なゴムによって製造されるため、まつげへの刺激を最小化させることができ、板くし目とゴム毛がブラシ心材の長手方向に沿って両方にそろって並んで形成され、既存のディスク形の板くし目からなるブラシとナイロン毛からなるブラシを同時に使う効果を得ることができ、まつげ化粧をする時は、まず板くし目でまつ毛にブラシを当てて持ち上げるときに、板くし目の間のくし目の凹部にストックされたマスカラ液をまつげにふんだんに塗った後、ブラシを軽く回してゴム毛でまつげをきちんと整列することで、まつげがだまにならず自然なまつげ化粧ができるようにしたマスカラブラシを提供することである。
【００１９】
又、本発明のマスカラブラシは、板くし目とゴム毛がブラシ心材の長さ方向にそろって並んで形成されていて、板くし目を使う時とゴム毛を使う時、左右に移動させる必要なく軽く回せば良いので、使用性が優れているマスカラブラシを提供する。
【００２０】
上記の目的は、本発明のまつげ化粧用マスカラブラシにおいて、ブラシスティックと繋がったブラシ心材の長手方向に沿って両分した一側にはディスク形の板くし目が繰返して離隔して形成されていて、前記板くし目の反対側にはゴム毛が放射状に繰返して形成され、前記マスカラブラシは、板くし目を正面からみると、一側の厚さが厚く、その反対側の厚さは薄く形成された楕円形であり、ブラシ心材を長手方向に両分した一側に形成されており、前記板くし目の反対側にはゴム毛が放射状に繰返して形成されることを特徴とするマスカラブラシによって達成される。
【発明の効果】
【００２１】
上述したように、本発明のまつげ化粧用マスカラブラシは、ゴム製のブラシ心材(10)を長手方向に両分した一側にディスク形の板くし目(20)が連続繰返して形成されていて、前記板くし目(20)の反対側にゴム毛(30)が放射状に連続繰返し形成されているものであり、ディスク形の板くし目(20)とゴム毛(30)が柔らかくて弾力的なゴムによって形成されるので、まつげへの刺激を最小化させることができ、板くし目(20)とゴム毛(30)がブラシ心材(10)の長手方向に沿って両側にそろって並んで形成されるので、既存のディスク形の板くし目(20)のブラシとナイロン毛のブラシを同時に使う効果を得ることができ、まつげ化粧をする時、まず板くし目(20)でまつげにブラシを当てて持ち上げるときに、板くし目(20)のくし目の間の凹部(22)にストックされたマスカラ液をまつげにふんだんに塗った後、ブラシを軽く回してゴム毛(30)でまつげをきちんと整えることにより、まつげがだまにならず自然なまつげ化粧ができる利点がある。
【図面の簡単な説明】
【００２２】
【図１】本発明によるマスカラブラシの実施形態の斜視図。
【図２】図１の平面図。
【図３】本発明によるマスカラブラシの実施形態の斜視図。
【図４】図３の平面図。
【図５】本発明によるマスカラブラシの他の実施形態の斜視図。
【図６】図５の平面図。
【図７】本発明によるマスカラブラシのもう一つの他の実施形態の斜視図。
【図８】図７の平面図
【図９】本発明によるマスカラブラシのもう一つの他の実施形態の斜視図。
【図１０】図９の平面図
【図１１】本発明によるマスカラブラシのもう一つの他の実施形態の斜視図。
【図１２】図１１を正面から見た例示図。
【図１３】本発明によるマスカラブラシのもう一つの他の実施形態の斜視図。
【図１４】図１３の平面図。
【発明を実施するための形態】
【００２３】
以下、上記の目的を果たすための望ましい実施例を、添付された図面によって詳細に説明する。
【００２４】
図１乃至図１４で示したように、本発明によるマスカラブラシは、蓋に固定される固定体から伸びて形成されるブラシスティックの端部にマスカラブラシが設置される。
【００２５】
前記マスカラブラシには、ブラシ心材(10)の長手方向に沿って両分されてディスク形の板くし目(20)とゴム毛(30)が形成されている。
【００２６】
ディスク形の板くし目(20)は連続繰返された層で形成されており、反対側のゴム毛(30)は放射状に繰返して形成されている。
【００２７】
このマスカラブラシは前述したように、ブラシ心材(10)の長手方向に沿って両分して板くし目(20)とゴム毛(30)とが形成される構造が基本構造である。(図１及び図２参照)
マスカラブラシの第２実施形態では、ブラシ心材(10)を長手方向に両分した一側外周面を掘りだして形成された溝(20a)によって板くし目(20)が形成されており、溝(20a)が上下ジグザグに掘られて前記板くし目(20)の形態がジグザグとなり、前記板くし目(20)の反対側にゴム毛(30)が放射状に繰返して形成される。(図３及び図４参照)
前記マスカラブラシの第３実施形態では、ブラシ心材(10)を長手方向に両分した一側にディスク形の板くし目(20)がジグザグに連続繰返して積層されて、側面から見ると、くし目凸部(21)とくし目凹部(22)とが形成されており、前記板くし目(20)の反対側にはゴム毛(30)が放射状に繰返し形成される。(図５及び図６参照)
前記マスカラブラシの第４実施形態では、三角形に近い楕円形の板くし目(20)がそれぞれ90度〜120度ずつ(b)回して連続配列されて積層して形成されて、前記板くし目(20)がブラシ心材(10)の長手方向を両分した一側に形成されて、連続繰り返される板くし目(20)のくし目凸部(21)の間にくし目凹部(22)が形成されて、前記板くし目(20)の反対側にはゴム毛(30)が放射状に繰返し形成される。そして、前記板くし目(20)は、三角形に近い楕円形または三角形または楕円形の形状で形成されて、前記板くし目(20)の配列角度は、90度または120度に形成されることが望ましい(図７及び図８参照)。
【００２８】
前記マスカラブラシの第５実施形態では、楕円形のディスク形の板くし目(20)がブラシ心材(10)を長手方向に両分した一側で扇子のように開かれて互い違いに連続積層形成されていて、前記板くし目(20)の反対側にはゴム毛(30)が放射状に繰返して形成されており、前記板くし目(20)が一地点を中心に扇子のように開かれて、その角度(b)が5度ないし45度の範囲で形成される(図９及び図１０参照)。
【００２９】
前記マスカラブラシの第６実施形態では、正面視において、板くし目(20)は、一側の厚さが厚くその反対側は薄く形成された楕円形であり、ブラシ心材(10)を長手方向に両分した一側に形成されていて、前記板くし目(20)の反対側にはゴム毛(30)が放射状に繰返して形成される(図１１及び図１２参照)。
【００３０】
前記マスカラブラシの第７実施形態では、ディスクの一部が除去された部分を有する板くし目(20)がブラシ心材(10)を長手方向に両分した一側に形成されて、前記板くし目(20)の反対側にはゴム毛(30)が放射状に繰返し形成される(図１３ないし図１４参照)。
【００３１】
前述の構成からなる本発明のマスカラブラシは、上記に説明したようにブラシ心材(10)の長手方向に沿って両分した一側にディスク形の板くし目(20)がくし目凸部(21)を有して、その反対側にゴム毛(30)が放射状に形成されているので、本発明のマスカラブラシでまつげ化粧をするためマスカラ液が保存されるマスカラ容器に入れて出すと、くし目凸部(21)と前記くし目凸部(21)との間のくし目凹部(22)にマスカラ液が充分に付くのはもちろん、ゴム毛(30)の間にもマスカラ液が付くようになる。
【００３２】
前記のようにマスカラ液が付いているマスカラブラシをまつげに付けた状態でまつげ化粧をする場合、まず、板くし目(20)のくし目凸部(21)を付けて上方へまつげを持ち上げる。
【００３３】
前記板くし目(20)を利用してまつげを持ち上げるとき、くし目凸部(21)がまつげの間に入り込んで、くし目凹部(21)にストックされたマスカラ液がまつげに十分に塗られる。
【００３４】
前記板くし目(20)によってマスカラ液がふんだんに塗られたまつげを板くし目(20)の反対側に形成されたゴム毛(30)を利用してまつげを持ち上げながら化粧することにより、円滑にカールさせることが可能となる。
【００３５】
前記ゴム毛(30)でまつげを持ち上げるとき、ゴム毛(30)がまつげ一本一本の間に入り込まれ、きちんと持ち上げられるので、まつげのカールを非常にうまく行うことができる。
【００３６】
上記のように、板くし目(20)とゴム毛(30)がブラシ心材(10)の長手方向に沿って両分して混用して形成されることにより、板くし目(20)とゴム毛(30)を一緒に利用しようとする場合、マスカラブラシを軽く回転させる動作だけで使用可能となり、マスカラブラシの機能性の向上と共に使用性が向上される。
【符号の説明】
【００３７】
10：ブラシ心材
20：板くし目
30：ゴム毛
【図１】
0005695704.tif 000002
【図２】
0005695704.tif 000003
【図３】
0005695704.tif 000004
【図４】
0005695704.tif 000005
【図５】
0005695704.tif 000006
【図６】
0005695704.tif 000007
【図７】
0005695704.tif 000008
【図８】
0005695704.tif 000009
【図９】
0005695704.tif 000010
【図１０】
0005695704.tif 000011
【図１１】
0005695704.tif 000012
【図１２】
0005695704.tif 000013
【図１３】
0005695704.tif 000014
【図１４】
0005695704.tif 000015